(57)【特許請求の範囲】
【請求項１】
ＣＳＩ（Channel  State  Information）−ＲＳの位置情報を移動端末装置に報知する場合に、報知用に確保されたリソースにＣＳＩ−ＲＳを配置し、在圏エリアのエリア識別子に基づいて移動端末装置に前記ＣＳＩ−ＲＳの位置情報を取得させる場合に、前記エリア識別子に関連付けられたリソースにＣＳＩ−ＲＳを配置する配置部と、
前記報知用に確保されたリソースおよび前記エリア識別子に関連付けられたリソースのいずれにＣＳＩ−ＲＳが配置されるかを識別する識別情報を生成する識別情報生成部と、
前記識別情報を前記移動端末装置に送信する送信部とを備えたことを特徴とする基地局装置。
【請求項２】
前記識別情報生成部は、前記報知用に確保されたリソースにＣＳＩ−ＲＳが配置される場合に、前記識別情報に前記ＣＳＩ−ＲＳの位置情報を付加することを特徴とする請求項１に記載の基地局装置。
【請求項３】
前記配置部は、ＣＳＩ−ＲＳをＣＲＳ（Common  Reference  Signal）と時間軸方向に異なるリソースに配置したことを特徴とする請求項１または請求項２に記載の基地局装置。
【請求項４】
前記報知用に確保されたリソースと前記エリア識別子に関連付けられたリソースとが、時間軸方向に異なるリソースに設定されることを特徴とする請求項１から請求項３のいずれかに記載の基地局装置。
【請求項５】
前記報知用に確保されたリソースにＣＳＩ−ＲＳが配置される場合に、前記送信部は、前記ＣＳＩ−ＲＳの位置情報を報知信号により複数の移動端末装置に対して一斉に送信することを特徴とする請求項１から請求項４のいずれかに記載の基地局装置。
【請求項６】
前記報知用に確保されたリソースにＣＳＩ−ＲＳが配置される場合に、前記送信部は、前記ＣＳＩ−ＲＳの位置情報を個別信号により移動端末装置に対して個別に送信することを特徴とする請求項１から請求項４のいずれかに記載の基地局装置。
【請求項７】
隣接エリアにおいてＣＳＩ−ＲＳが配置されるリソースをブランクリソースに設定するブランクリソース設定部を備え、
前記送信部は、前記ブランクリソースの位置情報を前記移動端末装置に送信することを特徴とする請求項１から請求項６のいずれかに記載の基地局装置。
【請求項８】
前記送信部は、前記エリア識別子に関連付けられたリソースがブランクリソースに設定される場合に、前記ブランクリソースの位置情報として、前記隣接エリアのエリア識別子を前記移動端末装置に送信することを特徴とする請求項７に記載の基地局装置。
【請求項９】
ＣＳＩ−ＲＳが配置可能なリソースをグループ化し、グループ毎にグループ識別子を生成するグループ識別子生成部を備え、
前記送信部は、前記ブランクリソースの位置情報として、前記グループ識別子を前記移動端末装置に送信することを特徴とする請求項７または請求項８に記載の基地局装置。
【請求項１０】
前記グループ識別子生成部は、前記エリア識別子に関連付けられたリソースを、隣接エリアを１グループとしてグループ化し、グループ毎にグループ識別子を生成することを特徴とする請求項９に記載の基地局装置。
【請求項１１】
ＣＳＩ−ＲＳの位置情報の報知用に確保されたリソースおよびエリア識別子に関連付けられたリソースのいずれにＣＳＩ−ＲＳが配置されるかを識別する識別情報を基地局装置から受信する受信部と、
前記報知用に確保されたリソースにＣＳＩ−ＲＳが配置される場合に、前記基地局装置からの報知により前記ＣＳＩ−ＲＳの位置情報を取得し、前記エリア識別子に関連付けられたリソースにＣＳＩ−ＲＳが配置される場合に、在圏エリアの前記エリア識別子に基づいて前記ＣＳＩ−ＲＳの位置情報を取得する取得部とを備えたことを特徴とする移動端末装置。
【請求項１２】
前記取得部は、前記報知用に確保されたリソースにＣＳＩ−ＲＳが配置される場合に、前記基地局装置によって前記識別情報に付加された前記ＣＳＩ−ＲＳの位置情報を取得することを特徴とする請求項１１に記載の移動端末装置。
【請求項１３】
前記受信部は、隣接エリアにおいてＣＳＩ−ＲＳが配置されるリソースをブランクリソースとして、当該ブランクリソースの位置情報を前記基地局装置から受信することを特徴とする請求項１１または請求項１２に記載の移動端末装置。
【請求項１４】
前記受信部は、前記エリア識別子に関連付けられたリソースがブランクリソースに設定される場合に、前記ブランクリソースの位置情報として、前記基地局装置から前記隣接エリアのエリア識別子を受信することを特徴とする請求項１３に記載の移動端末装置。
【請求項１５】
前記受信部は、前記ブランクリソースの位置情報として、前記基地局装置によりＣＳＩ−ＲＳが配置可能なリソースがグループ化されてグループ毎に生成されたグループ識別子を受信し、
ＣＳＩ−ＲＳが配置されるリソースと同一グループに属する他のリソースにブランクリソースが設定されると推定することを特徴とする請求項１３または請求項１４に記載の移動端末装置。
【請求項１６】
前記受信部は、前記基地局装置により前記エリア識別子に関連付けられたリソースが隣接エリアを１グループとしてグループ化され、前記基地局装置からグループ毎に生成されたグループ識別子を受信することを特徴とする請求項１５に記載の移動端末装置。
【請求項１７】
ＣＳＩ−ＲＳの位置情報を移動端末装置に報知する場合に、報知用に確保されたリソースにＣＳＩ−ＲＳを配置し、在圏エリアのエリア識別子に基づいて移動端末装置に前記ＣＳＩ−ＲＳの位置情報を取得させる場合に、前記エリア識別子に関連付けられたリソースにＣＳＩ−ＲＳを配置するステップと、
前記報知用に確保されたリソースおよび前記エリア識別子に関連付けられたリソースのいずれにＣＳＩ−ＲＳが配置されるかを識別する識別情報を生成するステップと、
前記識別情報を前記移動端末装置に送信するステップとを有することを特徴とする通信制御方法。
【発明の詳細な説明】
【技術分野】
【０００１】
本発明は、次世代移動通信システムにおける基地局装置、移動端末装置および通信制御方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（LTE：Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（LTE-A））。したがって、将来的には、これら複数の移動通信システムが並存することが予想され、これらの複数のシステムに対応できる構成（基地局装置や移動端末装置など）が必要となることが考えられる。
【０００４】
ＬＴＥのシステム（ＬＴＥシステム）の下りリンクにおいて、セル共通の参照信号であるＣＲＳ（Common  Reference  Signal）が定められている。このＣＲＳは、送信データの復調に用いられる他、スケジューリングや適応制御のための下りリンクのチャネル品質（CQI：Channel  Quality  Indicator）測定、並びに、セルサーチやハンドオーバのための下りの平均的な伝搬路状態の測定（モビリティ測定）に用いられる。
【０００５】
一方、ＬＴＥアドバンストのシステム（ＬＴＥ−Ａシステム）の下りリンクにおいては、ＣＲＳに加えて、ＣＱＩ測定専用にＣＳＩ−ＲＳ（Channel  State  Information  −  Reference  Signal）を定めることが検討されている。ＣＩＳ−ＲＳは、多地点協調（CoMP：Coordinated  multiple  point）によるデータチャネル信号の送受信を考慮して、複数セルのＣＱＩ測定に対応するものである。ＣＳＩ−ＲＳは、隣接セルのＣＱＩ測定に用いられる点で、サービングセルのみのＣＱＩ測定に用いられるＣＲＳと相違する。
【先行技術文献】
【非特許文献】
【０００６】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００７】
ところで、ＣＳＩ−ＲＳの導入にあたり、無線リソースに対するＣＳＩ−ＲＳの配置構成が検討されているが、システム形態に応じて、求められるＣＳＩ−ＲＳの配置構成が異なるといった課題が発生する。
【０００８】
本発明はかかる点に鑑みてなされたものであり、システム形態に応じて柔軟にＣＳＩ−ＲＳの配置構成を選択することができる基地局装置、移動端末装置および通信制御方法を提供することを目的とする。
【課題を解決するための手段】
【０００９】
本発明の基地局装置は、ＣＳＩ（Channel  State  Information）−ＲＳの位置情報を移動端末装置に報知する場合に、報知用に確保されたリソースにＣＳＩ−ＲＳを配置し、在圏エリアのエリア識別子に基づいて移動端末装置に前記ＣＳＩ−ＲＳの位置情報を取得させる場合に、前記エリア識別子に関連付けられたリソースにＣＳＩ−ＲＳを配置する配置部と、前記報知用に確保されたリソースおよび前記エリア識別子に関連付けられたリソースのいずれにＣＳＩ−ＲＳが配置されるかを識別する識別情報を生成する識別情報生成部と、前記識別情報を前記移動端末装置に送信する送信部とを備えたことを特徴とする。
【発明の効果】
【００１０】
本発明によれば、エリア識別子に関連付けられたリソースとは別に報知用に確保されたリソースにＣＳＩ−ＲＳを配置する配置構成を選択することで、ＣＳＩ−ＲＳの配置構成がエリア識別子の設計に左右されることがない。一方、エリア識別子に関連付けられたリソースにＣＳＩ−ＲＳを配置する配置構成を選択することで、移動端末装置に在圏エリアのエリア識別子からＣＳＩ−ＲＳの位置情報を取得させて、ＣＳＩ−ＲＳの位置情報のシグナリングを無くすことができる。よって、システムにおける設計自由度を優先させたい場合には、報知用に確保されたリソースにＣＳＩ−ＲＳを配置し、システムにおけるシグナリングのオーバヘッドを低減させたい場合には、エリア識別子に関連付けられたリソースにＣＳＩ−ＲＳを配置して、システム形態に応じて柔軟にＣＳＩ−ＲＳの配置構成を選択することができる。
【図面の簡単な説明】
【００１１】
【図１】ＣＲＳの配置構成の説明図である。
【図２】ＣＳＩ−ＲＳの配置構成の説明図である。
【図３】本発明に係る通信制御方法におけるＣＳＩ−ＲＳの配置構成の説明図である。
【図４】隣接セルのＣＱＩの測定方法の説明図である。
【図５】ＣＳＩ−ＲＳを用いたＣＱＩ測定におけるミューティングの説明図である。
【図６】ミューティングの第１の通知方法の説明図である。
【図７】ミューティングの第２の通知方法の説明図である。
【図８】移動通信システムの構成の説明図である。
【図９】基地局装置の全体構成の説明図である。
【図１０】移動端末装置の全体構成の説明図である。
【図１１】基地局装置による移動端末装置にＣＱＩを測定させるための機能ブロックの説明図である。
【図１２】移動端末装置によるＣＱＩを測定するための機能ブロックの説明図である。
【発明を実施するための形態】
【００１２】
まず、本発明に係る通信制御方法について説明する前に、ＬＴＥシステムの下りリンクで定められるＣＲＳ（Common  Reference  Signal）およびＬＴＥ−Ａシステムの下りリンクで定めることが検討されているＣＳＩ−ＲＳ（Channel  State  Information  −  Reference  Signal）について説明する。
【００１３】
図１は、ＣＲＳの構成について説明するための図である。図１は、ＣＲＳの配置構成の説明図である。ＣＲＳは、全てのリソースブロックおよび全てのサブフレームに割り当てられている。
【００１４】
ＣＲＳは、セル共通参照信号として所定の周波数、時間、送信電力、位相で移動端末装置に送信される。これらＣＲＳの周波数や送信電力は、後述するセルＩＤ（エリア識別子）や報知信号により移動端末装置側で認識される。ＣＲＳは、概して、移動端末装置におけるユーザデータの復調、並びに、下りリンクのチャネル測定に用いられる。ＣＲＳを用いたチャネル測定には、スケジューリングや適応制御のための下りリンクのチャネル品質（CQI：Channel  Quality  Indicator）測定、およびセルサーチやハンドオーバのための下りの平均的な伝搬路状態の測定（モビリティ測定）が含まれる。
【００１５】
図１（ａ）に示すように、ＣＲＳは、ＬＴＥで規定される１リソースブロックにおいて、ユーザデータやＤＭ−ＲＳ（Demodulation  −  Reference  Signal）と重ならないように配置されている。１リソースブロックは、周波数方向に連続する１２サブキャリアと、時間軸方向に連続する１４シンボルで構成される。また、図１（ｂ）に示すように、ＣＲＳは、セル毎に周波数方向にシフトされており、隣接するセル間での干渉が抑えられている。図１に示す例では、セルＣ２におけるＣＲＳは、セルＣ１におけるＣＲＳに対して、周波数方向に１サブキャリア分だけシフトしてマッピングされている。
【００１６】
このＣＲＳは、位置、系列および送信電力というパラメータで特定される。これらのパラメータのうち、ＣＲＳの位置は、セルＩＤに関連付けられている。すなわち、セルＩＤにより周波数方向にシフトされるＣＲＳの位置が定められるため、移動端末装置は在圏セルのセルＩＤを認識することでＣＲＳの配置構成を特定する。また、ＣＲＳの系列はセルＩＤに関連付けられ、送信電力は報知信号で通知される。なお、ＣＲＳの位置および系列を特定するためのセルＩＤは、セルサーチにより移動端末装置に認識される。
【００１７】
次に、ＬＴＥ−Ａシステムの下りリンクで検討されているＣＳＩ−ＲＳの構成について説明する。図２は、ＣＳＩ−ＲＳの配置構成の説明図である。ＣＳＩ−ＲＳは、ＣＲＳと異なり、全てのリソースブロックおよび全てのサブフレームに割り当てられず、所定の周期で割り当てられる。
【００１８】
ＣＳＩ−ＲＳは、多地点協調によるデータチャネル信号の送受信を考慮して、サービングセルだけでなく隣接セルのＣＱＩ測定に対応するものである。また、ＣＳＩ−ＲＳは、ＣＲＳと同様に、位置、系列および送信電力というパラメータで特定される。これらパラメータのうち、ＣＳＩ−ＲＳの位置は、各セルの報知信号で特定されるか、セルＩＤに関連付けて特定されるかが検討されている。なお、ここでは、説明の便宜上、残りのパラメータであるＣＳＩ−ＲＳの系列は、セルＩＤに関連付けられ、送信電力は報知信号で通知されるものとして説明する。
【００１９】
ＣＳＩ−ＲＳの位置が報知信号で特定される場合には、移動端末装置は基地局装置から報知信号を受信することでＣＳＩ−ＲＳの位置を特定する。例えば、図２に示すように、基地局装置において１リソースブロックに１２種類のＣＳＩ−ＲＳの配置パターンを規定し、各パターンのパターンインデックスを報知信号に含めて移動端末装置に通知する。ＣＳＩ−ＲＳがパターンインデックス＃０で示されるリソースに配置される場合には、パターンインデックス＃０が報知チャネルにより移動端末装置に通知され、移動端末装置側でＣＳＩ−ＲＳの位置が特定される。
【００２０】
この場合、ＣＳＩ−ＲＳが配置されるリソースがセルＩＤに関連付けられていないため、セルＩＤの設計がＣＳＩ−ＲＳの配置構成に左右されることがない。すなわち、セルＩＤは、ＣＲＳの配置構成等のパラメータに基づいて定められるが、ＣＳＩ−ＲＳのパラメータをさらに考慮することによって複雑化されることがない。よって、ＣＳＩ−ＲＳの位置を報知により特定する構成は、システムにおける設計自由度を優先させたい場合等に有効である。しかしながら、報知信号にＣＳＩ−ＲＳの位置情報（パターンインデックス）を含めて移動端末装置に通知しなければならず、シグナリングのオーバヘッドが増加するという問題がある。
【００２１】
一方、ＣＳＩ−ＲＳの位置がセルＩＤに関連付けられている場合には、移動端末装置は、在圏セルのセルＩＤを認識することでＣＳＩ−ＲＳの位置を特定する。例えば、基地局装置において１リソースブロックに１２種類のＣＳＩ−ＲＳの配置パターンを規定し、各パターンをセルＩＤに関連付けるようにする。そして、移動端末装置により在圏セルのセルＩＤが認識されることにより、移動端末装置に配置パターンが特定される。具体的には、移動端末装置において式（１）が用いられることで、配置パターンが求められる。
Pattern  index  =  Mod（cell-id,  number  of  pattern）…（１）
【００２２】
式（１）は、セルＩＤを配置パターンの総数で除算した余りからパターンインデックスを算出することを示している。例えば、基地局装置は、セルＩＤ＝１５を使用しており、このセルＩＤ＝１５に関連付けられたパターンインデックス＃３のリソースにＣＳＩ−ＲＳを配置しているものとする。移動端末装置は、セルサーチによりセルＩＤ＝１５を認識し、式（１）を用いてＭｏｄ（１５，１２）からパターンインデックス＃３を求める。このようにして、移動端末装置は、パターンインデックス＃３で示されるリソースにＣＳＩ−ＲＳが配置されることを特定する。
【００２３】
この場合、基地局装置は、パターンインデックスを報知信号に含めて移動端末装置に通知する必要がないため、シグナリングのオーバヘッドを低減することができる。よって、ＣＳＩ−ＲＳの位置をセルＩＤに関連付けて特定する構成は、システムにおけるシグナリングのオーバヘッドの低減を優先させたい場合等に有効である。しかしながら、ＣＳＩ−ＲＳの配置構成がセルＩＤに関連付けられるため、セルＩＤを設計する際にＣＲＳのみならずＣＳＩ−ＲＳのパラメータを考慮しなければならず複雑化するという問題がある。このように、報知信号でＣＳＩ−ＲＳの位置が特定される構成と、セルＩＤに関連付けてＣＳＩ−ＲＳの位置が特定される構成とがトレードオフの関係にある。
【００２４】
そこで、本発明者らは、これらの問題点を解決するために、本発明をするに至った。すなわち、本発明の骨子は、報知信号でＣＳＩ−ＲＳの位置が特定される構成と、セルＩＤに関連付けてＣＳＩ−ＲＳの位置が特定される構成とがトレードオフの関係にあることに着目し、システム形態に応じてＣＳＩ−ＲＳの位置の特定方法を選択可能とすることである。
【００２５】
以下、図３を参照して、本発明の通信制御方法について説明する。図３は、本発明の実施の形態に係る通信制御方法におけるＣＳＩ−ＲＳの配置構成の説明図である。
【００２６】
図３に示すように、下りリンクのリソースブロックには、ＣＳＩ−ＲＳが配置されるリソースとして、報知用に確保されたリソース（以下、報知用リソースとする）と、セルＩＤに関連付けられたリソース（以下、セルＩＤ用リソースとする）とが用意されている。報知用リソースは、報知信号により基地局装置から移動端末装置にＣＳＩ−ＲＳの位置が通知される場合に用いられる。この報知用リソースは、リソースブロックにおいてＤＭ−ＲＳが配置されたリソースから周波数方向に離間して用意されている。基地局装置においては、報知用リソースの配置パターンを示すパターンインデックス＃２０−＃２７が規定されている。
【００２７】
セルＩＤ用リソースは、移動端末装置により在圏セルのセルＩＤからＣＳＩ−ＲＳの位置が取得される場合に用いられる。このセルＩＤ用リソースは、周波数方向に連続して用意されている。基地局装置においては、セルＩＤ用リソースの配置パターンを示すパターンインデックス＃００−＃１１が規定されている。なお、報知用リソースおよびセルＩＤ用リソースは、共に１サブキャリア×連続する２シンボルで構成される。但し、このリソースのサイズは限定されるものではなく、２サブキャリア×連続する２シンボルのように柔軟に設定可能である。
【００２８】
なお、報知用リソースおよびセルＩＤ用リソースは、ＣＲＳが配置されたリソースに対して時間軸方向に異なるように設定されている。これは、ＣＲＳがセルＩＤに応じて周波数方向にシフトされるため、ＣＲＳがＣＳＩ−ＲＳのリソースと重なることを防止するためである。
【００２９】
基地局装置は、システム形態等に応じて、報知用リソースおよびセルＩＤ用リソースのいずれにＣＳＩ−ＲＳを配置するかを選択する。基地局装置による選択結果は、識別ビット（識別情報）として報知信号に含められて移動端末装置に送信される。例えば、報知用リソースにＣＳＩ―ＲＳが配置される場合には、識別ビットが「０」に設定され、セルＩＤ用リソースにＣＳＩ−ＲＳが配置される場合には、識別ビットが「１」に設定される。また、識別ビットが「０」に設定されている場合には、識別ビットに報知用リソースのパターンインデックスを示すインデックスビットが付加される。
【００３０】
そして、移動端末装置により報知信号を介して識別ビットが取得されることで、移動端末装置側で報知用リソースおよびセルＩＤ用リソースのいずれにＣＳＩ−ＲＳが配置されたかが識別される。移動端末装置は、識別ビットが「０」の場合には、報知用リソースにＣＳＩ−ＲＳが配置されたと識別する。そして、移動端末装置は、識別ビットに付加されたインデックスビットから、ＣＳＩ−ＲＳが配置された報知用リソースのパターンインデックスを特定し、パターンインデックスに示されるリソースからＣＳＩ−ＲＳを取得してＣＱＩ測定を行う。
【００３１】
また、移動端末装置は、識別ビットが「１」の場合には、セルＩＤ用リソースにＣＳＩ−ＲＳが配置されたと識別する。そして、移動端末装置は、セルサーチにより取得されたセルＩＤおよび上記した式（１）から、ＣＳＩ−ＲＳが配置されたセルＩＤ用リソースのパターンインデックスを特定し、パターンインデックスに示されるリソースからＣＳＩ−ＲＳを取得してＣＱＩ測定を行う。
【００３２】
このように、本実施の形態においては、報知信号でＣＳＩ−ＲＳの位置が特定される構成およびセルＩＤに関連付けてＣＳＩ−ＲＳの位置が特定される構成の両方に対応可能とした。すなわち、システムの設計自由度をオーバヘッドよりも優先させたい場合には、報知用リソースにＣＳＩ−ＲＳを配置し、システムのオーバヘッドを設計自由度よりも優先させたい場合には、セルＩＤ用リソースにＣＳＩ−ＲＳを配置して、システム形態に応じてＣＳＩ−ＲＳの配置構成を選択可能としている。
【００３３】
また、例えば、多地点協調（CoMP：Coordinated  multiple  point）を行う際に、複数のセル間で同一のセルＩＤを使用する場合には、セルＩＤ用リソースにＣＳＩ−ＲＳを配置すると、ＣＳＩ−ＲＳがセル間で衝突してしまう。よって、このようなシステム形態の場合には、報知用リソースにＣＳＩ−ＲＳを配置する。また、マクロセルではＣＳＩ−ＲＳがセルＩＤ用リソースに配置され、ピコセルではＣＳＩ−ＲＳが報知用リソースに配置されるような使い分けも可能である。
【００３４】
また、本実施の形態においては、基地局装置が、ＣＳＩ−ＲＳの位置情報として、パターンインデックスを移動端末装置に通知する構成としたが、この構成に限定されるものではない。ＣＳＩ−ＲＳの位置情報は、ＣＳＩ−ＲＳの位置を示すものであればよく、例えば、リソースブロックにおけるアドレス情報でもよい。
【００３５】
また、ＣＳＩ−ＲＳを用いたＣＱＩ測定は、ＣＲＳを用いたＣＱＩ測定と異なり、サービングセルだけでなく隣接セルに対しても行われる。このように、複数のセルのチャネル品質を測定するのは、多地点協調によるユーザデータの送受信を考慮するためである。移動端末装置は、測定したＣＱＩをサービングセルの基地局装置および隣接セルの基地局装置にフィードバックする。基地局装置にフィードバックされたＣＱＩは、移動端末装置にユーザデータを送信する際のパラメータ（例えば、ＭＣＳ（Modulation  and  Coding  Scheme））の判断に用いられる。
【００３６】
この場合、セル間でＣＳＩ−ＲＳのパラメータが交信され、隣接セルのＣＳＩ−ＲＳの位置および送信電力等のパラメータがサービングセルから移動端末装置に送信される。ここで、図４を参照して、隣接セルのＣＱＩ測定について説明する。図４は、本発明の実施の形態に係る隣接セルのＣＱＩの測定方法の説明図である。
【００３７】
図４に示すように、サービングセルに設置された基地局装置２０Ａは、隣接セルに設置された基地局装置２０Ｂ、２０ＣとＣＳＩ−ＲＳのパラメータを送受信可能に接続されている。基地局装置２０Ａ、２０Ｂ、２０Ｃの接続形態は、特に限定されるものではなく、優先接続又は無線接続のいずれであってもよい。このシステムにおいて、ＣＳＩ−ＲＳの位置、系列、送信電力等のパラメータが、隣接セルの基地局装置２０Ｂ、２０Ｃからサービングセルの基地局装置２０Ａに送信される。基地局装置２０Ａは、基地局装置２０Ｂ、２０Ｃから受信したＣＳＩ−ＲＳのパラメータと自セルのＣＳＩ−ＲＳのパラメータとを含む報知信号を生成し、移動端末装置１０に送信する。
【００３８】
サービングセルにおけるＣＳＩ−ＲＳのパラメータとしては、ＣＳＩ−ＲＳの位置、系列、送信電力が含まれる。なお、ＣＳＩ−ＲＳの位置がセルＩＤに関連付けられる場合には、ＣＳＩ−ＲＳのパラメータにＣＳＩ−ＲＳの位置は含まれない。また、隣接セルにおけるＣＳＩ−ＲＳのパラメータとしては、隣接セルＩＤ、ＣＳＩ−ＲＳの位置、系列、送信電力が含まれる。移動端末装置１０は、サービングセルからの報知信号により、隣接セルのＣＳＩ−ＲＳの位置、系列、送信電力を特定できるので、隣接セルのＣＱＩ測定できる。
【００３９】
ところで、ＣＳＩ−ＲＳを用いたＣＱＩ測定においては、隣接セルからの干渉によるＣＱＩ測定精度の改善を目的として、ミューティングが検討されている。ミューティングでは、隣接セルにおいてＣＳＩ−ＲＳが配置されるリソースがブランクリソース（ヌル）に設定されることで行われる。以下、図５を参照して、ＣＳＩ−ＲＳを用いたＣＱＩ測定におけるミューティングについて説明する。図５は、本発明の実施の形態に係るＣＳＩ−ＲＳを用いたＣＱＩ測定におけるミューティングの説明図である。なお、図５において、セルＣ１、セルＣ２、セルＣ３は相互に隣接しているものとする。また、以下の説明において、ＣＳＩ−ＲＳが配置されたリソースをＣＳＩ−ＲＳリソースとして説明する。
【００４０】
図５（ａ）に示すように、ミューティングが行われない状態では、セルＣ１の下りリンクのリソースブロックにおいて、セルＣ２、Ｃ３のＣＳＩ−ＲＳリソースに対応するリソースにユーザデータが配置される。また、セルＣ２の下りリンクのリソースブロックにおいて、セルＣ１、Ｃ３のＣＳＩ−ＲＳリソースに対応するリソースにユーザデータが配置される。さらに、セルＣ３の下りリンクのリソースブロックにおいて、セルＣ２、Ｃ３のＣＳＩ−ＲＳリソースに対応するリソースにユーザデータが配置される。これらユーザデータは、各セルにおけるＣＳＩ−ＲＳの干渉成分を構成し、移動端末装置におけるチャネル品質の推定精度を劣化させる要因となる。
【００４１】
ミューティングにおいては、このようなユーザデータの配置に起因するチャネル品質の推定精度の劣化を防止するために、隣接セルのＣＳＩ−ＲＳリソースに対応するリソースにユーザデータを配置せずにブランクリソースに設定する。図５（ｂ）に示すように、セルＣ１の下りリンクのリソースブロックにおいて、セルＣ２、Ｃ３のＣＳＩ−ＲＳリソースに対応するリソースがブランクリソースに設定される。また、セルＣ２の下りリンクのリソースブロックにおいて、セルＣ１、Ｃ３のＣＳＩ−ＲＳリソースに対応するリソースがブランクリソースに設定される。さらに、セルＣ３の下りリンクのリソースブロックにおいて、セルＣ１、Ｃ２のＣＳＩ−ＲＳリソースに対応するリソースがブランクリソースに設定される。
【００４２】
このように、隣接セルのＣＳＩ−ＲＳリソースに対応するリソースがブランクリソースに設定されることで、隣接セルのユーザデータをＣＳＩ−ＲＳの干渉成分から排除でき、移動端末装置におけるチャネル品質の推定精度を改善することができる。しかしながら、ミューティングを行う場合においては、隣接セルからの干渉が完全に無くなってしまうことから、移動端末装置によるＣＱＩ測定の測定結果が、実際の測定結果よりも大きく測定されてしまう。このような事態に対応するため、基地局装置から移動端末装置に対してミューティングの有無を通知する必要がある。
【００４３】
移動端末装置では、基地局装置から通知されたブランクリソースの位置情報に基づいてミューティングの有無を認識し、ミューティングが行われたリソースの干渉成分を考慮してＣＱＩを測定することにより、実際のＣＱＩに対応したＣＱＩの測定を可能としている。この場合、移動端末装置は、ＣＳＩ−ＲＳのパラメータから、セルＣ１−Ｃ３のＣＳＩ−ＲＳの位置および送信電力を特定し、ミューティングで設定されたブランクリソースの送信電力を推定することができる。
【００４４】
このため、ＣＱＩ測定の際に、ブランクリソースの信号電力を用いることにより、実際のＣＱＩに対応したＣＱＩを測定することが可能となる。例えば、ＣＱＩは、式（２）により算出することができる。
ＣＱＩ＝ＣＳＩ−ＲＳの送信電力／（ＣＳＩ−ＲＳリソースに対応した他セルのブランクリソースの送信電力＋ノイズ）…（２）
なお、ＣＳＩ−ＲＳリソースに対応する他セルのブランクリソースの送信電力は、上記したようにセル間で送受信されるＣＳＩ−ＲＳのパラメータから特定される。
【００４５】
次に、図６を参照して、ミューティングの通知方法について説明する。図６は、本発明の実施の形態に係るミューティングの第１の通知方法の説明図である。図７は、本発明の実施の形態に係るミューティングの第２の通知方法の説明図である。
【００４６】
図６（ａ）に示すように、ミューティングの第１の通知方法においては、基地局装置から報知チャネルによりブランクリソースの位置情報が移動端末装置に通知される。例えば、基地局装置は、１リソースブロックにおけるＣＳＩ−ＲＳの配置パターンを示すパターンインデックスを規定し、このパターンインデックスをブランクリソースの位置情報として移動端末装置に通知する。
【００４７】
図６（ｂ）に示すように、例えば、セルＣ１では、基地局装置からＣＳＩ−ＲＳの位置情報としてパターンインデックス＃０、ブランクリソースの位置情報としてパターンインデックス＃１、＃６が移動端末装置に通知される。移動端末装置では、ブランクリソースが通知されることで、ブランクリソースを無視してユーザデータを復調できる。このように、ミューティングの第１の通知方法によれば、簡易な構成により移動端末装置にブランクリソースを通知できる。
【００４８】
なお、本実施の形態においては、基地局装置が、ブランクリソースの位置情報として、パターンインデックスを移動端末装置に通知する構成としたが、この構成に限定されるものではない。ブランクリソースの位置情報は、ブランクリソースの位置を特定可能な情報であればよく、例えば、リソースブロックにおけるアドレス情報でもよい。また、リソースブロックにセルＩＤ用リソースの配置パターンを示すパターンインデックスが規定される場合には、ブランクリソースの位置情報としてセルＩＤを通知する構成としてもよい。
【００４９】
図７（ａ）に示すように、ミューティングの第２の通知方法においては、基地局装置においてＣＳＩ−ＲＳの配置用に確保されたリソースがグループ化され、グループ毎にグループインデックス（グループ識別子）が規定される。例えば、パターンインデックス＃０、＃１、＃６、＃７で示されるリソースがグループインデックス＃０で規定される。また、パターンインデックス＃２、＃３、＃８、＃９で示されるリソースがグループインデックス＃１で規定される。さらに、パターンインデックス＃４、＃５、＃１０、＃１１で示されるリソースがグループインデックス＃２で規定される。
【００５０】
基地局装置は、このグループインデックスをブランクリソースの位置情報として移動端末装置に通知して、移動端末装置においてＣＳＩ−ＲＳが配置されるリソースと同一グループに属する他のリソースにブランクリソースが設定されていると推定させる。図７（ｂ）に示すように、例えば、基地局装置が、パターンインデックス＃０とグループインデックス＃０を移動端末装置に通知すると、移動端末装置では、パターンインデックス＃０で示されるリソースにＣＳＩ−ＲＳが配置され、パターンインデックス＃１、＃６、＃７で示されるリソースがブランクリソースに設定されていると認識する。
【００５１】
この場合、下りリンクのリソースブロックにおいて、隣接する複数のセルが同一グループとなるようにグループ化されている。このため、自セルのＣＳＩ−ＲＳリソースと、隣接セルのＣＳＩ−ＲＳリソースに対応するブランクリソースとが同一グループとなる。よって、移動端末装置は、基地局装置からグループインデックスを受信することにより、ブランクリソースを特定することが可能となる。移動端末装置では、グループインデックスを受信することで、ブランクリソースを無視してユーザデータを復調できる。
【００５２】
なお、グループ化は、隣接する複数のセルで同一グループとなる構成に限定されるものではなく、システム形態に応じて柔軟に設定可能である。このように、ミューティングの第２の通知方法によれば、ブランクリソースの位置情報を個々に通知する必要がないため、シグナリングのオーバヘッドを低減することが可能となる。
【００５３】
なお、第１、第２のミューティングの通知方法において、隣接セルにおけるＣＱＩ−ＲＳの位置（自セルにおけるブランクリソースの位置）は、上記したようにＣＳＩ−ＲＳのパラメータとしてセル間で送受信される構成としてもよいし、セル間で固定的に定められていてもよい。
【００５４】
ここで、本発明の実施例に係る無線通信システムについて詳細に説明する。図８は、本実施例に係る無線通信システムのシステム構成の説明図である。なお、図８に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良いし、４Ｇと呼ばれても良い。
【００５５】
図８に示すように、無線通信システム１は、基地局装置２０Ａ、２０Ｂ、２０Ｃと、この基地局装置２０Ａ、２０Ｂ、２０Ｃと通信する複数の移動端末装置１０（１０１、１０２、１０３、・・・１０ｎ、ｎはｎ＞０の整数）とを含んで構成されている。基地局装置２０Ａ、２０Ｂ、２０Ｃは、上位局装置３０と接続され、この上位局装置３０は、コアネットワーク４０と接続される。移動端末装置１０は、セルＣ１、Ｃ２、Ｃ３において基地局装置２０Ａ、２０Ｂ、２０Ｃと通信を行うことができる。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００５６】
各移動端末装置（１０１、１０２、１０３、・・・１０ｎ）は、ＬＴＥ端末及びＬＴＥ−Ａ端末を含むが、以下においては、特段の断りがない限り移動端末装置１０として説明を進める。また、説明の便宜上、基地局装置２０Ａ、２０Ｂ、２０Ｃと無線通信するのは移動端末装置１０であるものとして説明するが、より一般的には移動端末装置も固定端末装置も含むユーザ装置（UE：User  Equipment）でよい。
【００５７】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００５８】
ここで、ＬＴＥシステムにおける通信チャネルについて説明する。
下りリンクの通信チャネルは、各移動端末装置１０で共有される下りデータチャネルとしてのＰＤＳＣＨ（Physical  Downlink  Control  Channel）と、下りＬ１／Ｌ２制御チャネル（PDCCH、PCFICH、PHICH）とを有する。ＰＤＳＣＨにより、送信データ及び上位制御情報が伝送される。ＰＤＣＣＨにより、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨにより、ＰＵＳＣＨに対するＨＡＲＱのＡＣＫ/ＮＡＣＫが伝送される。
【００５９】
上りリンクの通信チャネルは、各移動端末装置で共有される上りデータチャネルとしてのＰＵＳＣＨと、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクの無線品質情報（CQI：Channel  Quality  Indicator）、ＡＣＫ/ＮＡＣＫ等が伝送される。
【００６０】
図９を参照しながら、本実施の形態に係る基地局装置の全体構成について説明する。なお、基地局装置２０Ａ、２０Ｂ、２０Ｃは、同様な構成であるため、基地局装置２０として説明する。基地局装置２０は、送受信アンテナ２０１と、アンプ部２０２と、送受信部（送信部）２０３と、ベースバンド信号処理部２０４と、呼処理部２０５と、伝送路インターフェース２０６とを備えている。下りリンクにより基地局装置２０から移動端末装置１０に送信される送信データは、上位局装置３０から伝送路インターフェース２０６を介してベースバンド信号処理部２０４に入力される。
【００６１】
ベースバンド信号処理部２０４において、下りデータチャネルの信号は、ＰＤＣＰレイヤの処理、送信データの分割・結合、ＲＬＣ（radio  link  control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００６２】
また、ベースバンド信号処理部２０４は、報知チャネルにより、同一セルに接続する移動端末装置１０に対して、各移動端末装置１０が基地局装置２０との無線通信するための制御情報を通知する。当該セルにおける通信のための報知情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）等が含まれる。
【００６３】
送受信部２０３は、ベースバンド信号処理部２０４から出力されたベースバンド信号を無線周波数帯に周波数変換する。アンプ部２０２は周波数変換された送信信号を増幅して送受信アンテナ２０１へ出力する。
【００６４】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００６５】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００６６】
呼処理部２０５は、通信チャネルの設定や解放等の呼処理や、基地局装置２０の状態管理や、無線リソースの管理を行う。
【００６７】
次に、図１０を参照しながら、本実施の形態に係る移動端末装置１０の全体構成について説明する。ＬＴＥ端末もＬＴＥ-Ａ端末もハードウエアの主要部構成は同じであるので、区別せずに説明する。移動端末装置１０は、送受信アンテナ１０１と、アンプ部１０２と、送受信部（受信部）１０３と、ベースバンド信号処理部１０４と、アプリケーション部１０５とを備えている。
【００６８】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００６９】
一方、上りリンクの送信データは、最大２つのトランスポートブロックによってアプリケーション部１０５からベースバンド信号処理部１０４に入力される。ベースバンド信号処理部１０４においては、トランスポートブロックの各レイヤへのマッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００７０】
図１１を参照して、基地局装置による移動端末装置にＣＱＩを測定させるための機能ブロックについて説明する。図１１は、基地局装置による移動端末装置にＣＱＩを測定させるための機能ブロックの説明図である。なお、図１１の各機能ブロックは、主にベースバンド処理部の処理内容である。また、図１１に示す機能ブロックは、本発明を説明するために簡略化したものであり、ベースバンド処理部において通常備える構成は備えるものとする。また、以下の説明では、ミューティングの第２の通知方法が用いられているものとする。
【００７１】
図１１に示すように、基地局装置２０は、ＣＳＩ−ＲＳ配置部（配置部）２１１と、識別情報生成部２１２と、ブランクリソース設定部２１３と、グループインデックス生成部（グループ識別子生成部）２１４と、ＣＳＩ−ＲＳパラメータ生成部２１５と、報知信号生成部２１６と、送受信部２０３とを有している。ＣＳＩ−ＲＳ配置部２１１は、報知用リソースまたはセルＩＤ用リソースにＣＳＩ−ＲＳを配置する。識別情報生成部２１２は、ＣＳＩ−ＲＳが報知用リソースおよびセルＩＤ用リソースのいずれに配置されるかを識別する識別ビットを生成する。
【００７２】
識別ビットは、報知用リソースにＣＳＩ−ＲＳが配置される場合には「０」に設定され、セルＩＤ用リソースにＣＳＩ−ＲＳが配置される場合には「１」に設定される。このとき、識別ビットが「０」の場合には、識別ビットには報知用リソースに配置されたＣＳＩ−ＲＳのパターンインデックス（位置情報）を示すインデックスビットが付加される。識別情報生成部２１２に生成された識別ビットは、報知信号生成部２１６に入力される。
【００７３】
ブランクリソース設定部２１３は、ミューティング時に、隣接セルにおいてＣＳＩ−ＲＳが配置されるＣＳＩ−ＲＳリソースに対応するリソースをブランクリソースに設定する。なお、本実施の形態では、ブランクリソースは、全くリソースが割り当てられないリソースとしてもよいし、隣接セルのＣＳＩ−ＲＳに干渉を与えない程度にデータが割り当てるリソースとして規定されてもよい。さらに、ブランクリソースは、隣接セルのＣＳＩ−ＲＳに対して干渉を与えない程度の送信電力で送信されるリソースとして規定されてもよい。
【００７４】
グループインデックス生成部２１４は、ブランクリソースの位置情報としてグループインデックスを生成する。ＣＳＩ−ＲＳが配置される報知用リソースおよびセルＩＤ用リソースは、隣接セルを１グループとした複数のグループにグループ化されており、グループ毎にグループインデックスが割り当てられている。このため、グループインデックス生成部２１４は、自セルのＣＳＩ−ＲＳリソースと隣接セルのＣＳＩ−ＲＳリソースに対応したブランクリソースとを１グループとしたグループインデックスを生成することができる。このグループインデックスが移動端末装置１０に通知されると、移動端末装置１０側でＣＳＩ−ＲＳリソース以外のリソースがブランクリソースとして認識される。
【００７５】
グループインデックス生成部２１４に生成されたグループインデックスは、報知信号生成部２１６に入力される。なお、ブランクリソースの位置情報として、グループインデックスが移動端末装置１０に通知される構成に代えて、ブランクリソースの位置が個別に移動端末装置１０に通知される構成としてもよい。この場合、ブランクリソース設定部２１３が、ブランクリソースの位置情報として、各ブランクリソースの位置を示すパターンインデックスを報知信号生成部２１６に入力する。
【００７６】
ＣＳＩ−ＲＳパラメータ生成部２１５は、ＣＳＩ−ＲＳの位置以外のＣＳＩ−ＲＳの系列や送信電力等のパラメータを生成する。なお、ＣＳＩ−ＲＳパラメータ生成部２１５は、報知にてＣＳＩ−ＲＳの位置が特定される場合において、識別情報生成部２１２にてＣＳＩ−ＲＳの位置情報が識別ビットに付加されないときには、ＣＳＩ−ＲＳの系列や送信電力に加えてＣＳＩ−ＲＳの位置（パターンインデックス等）を生成してもよい。これらパラメータのうち、報知信号により移動端末装置１０に通知されるものについては、報知信号生成部２１６に入力される。
【００７７】
報知信号生成部２１６は、識別ビット、グループインデックス、その他、ＣＳＩ−ＲＳのパラメータを含めて報知信号を生成する。この場合、報知信号生成部２１６は、自セルにおけるＣＳＩ−ＲＳのパラメータのみならず、送受信部２０３を介して受信した隣接セルのＣＳＩ−ＲＳのパラメータを含めて報知信号を生成する。送受信部２０３は、ＣＳＩ−ＲＳおよび報知信号を移動端末装置１０に送信する。
【００７８】
図１２を参照して、移動端末装置によるＣＱＩを測定するための機能ブロックについて説明する。図１２は、移動端末装置によるＣＱＩを測定するための機能ブロックの説明図である。なお、図１２の各機能ブロックは、主にベースバンド処理部の処理内容である。また、図１２に示す機能ブロックは、本発明を説明するために簡略化したものであり、ベースバンド処理部において通常備える構成は備えるものとする。また、以下の説明では、ミューティングの第２の通知方法が用いられているものとする。
【００７９】
図１２に示すように、移動端末装置１０は、送受信部１０３と、取得部１１１と、測定部１１２とを有している。送受信部１０３は、基地局装置２０からＣＳＩ−ＲＳおよび報知信号を受信する。取得部１１１は、報知信号を復調して、信号の中身を解析することでＣＳＩ−ＲＳの位置情報や送信電力等のパラメータやブランクリソースの位置情報を取得する。取得部１１１は、報知信号から識別ビットを読み出し、ＣＳＩ−ＲＳが報知用リソースおよびセルＩＤ用リソースのいずれに配置されているかを識別する。
【００８０】
取得部１１１は、識別ビットが「０」の場合、ＣＳＩ−ＲＳの位置情報が報知信号により通知されると判断し、識別ビットに付加されたインデックスビットからＣＳＩ−ＲＳの位置情報（パターンインデックス）を取得する。一方、取得部１１１は、識別ビットが「１」の場合、ＣＳＩ−ＲＳの位置情報がセルＩＤに関連付けられていると判断し、セルサーチにより認識されたセルＩＤからＣＳＩ−ＲＳの位置情報（パターンインデックス）を取得する。
【００８１】
また、取得部１１１は、報知信号に含まれるＣＳＩ−ＲＳの位置以外の送信電力等のパラメータを取得する。さらに、取得部１１１は、報知信号に含まれるグループインデックスを取得する。ＣＳＩ−ＲＳのパラメータおよびグループインデックスは、測定部１１２に入力される。測定部１１２は、サービングセルおよび隣接セルのＣＳＩ−ＲＳのパラメータに基づいてＣＱＩを測定する。測定部１１２においては、ＣＳＩ−ＲＳの位置情報、系列、送信電力等のパラメータからサービングセルおよび隣接セルのＣＱＩが算出される。
【００８２】
また、測定部１１２では、ミューティングされたリソースの干渉成分を考慮してＣＱＩが測定される。この場合、測定部１１２は、グループインデックスで示される同一グループ内の全てのセルにおいて、ＣＳＩ−ＲＳリソース以外がブランクリソースに設定されると認識する。このため、測定部１１２は、サービングセルのＣＳＩ−ＲＳリソースに対応するリソースに、他セルのブランクリソースが設定されるとして、ブランクリソースの干渉成分を考慮してＣＱＩを測定する。ＣＱＩは、例えば、式（２）を用いてサービングセルおよび隣接セルのＣＳＩ−ＲＳのパラメータから算出される。また、移動端末装置１０では、ブランクリソースを無視してユーザデータの復調が行われる。
【００８３】
以上のように、本実施の形態に係る基地局装置２０によれば、報知用リソースにＣＳＩ−ＲＳを配置する配置構成を選択することで、ＣＳＩ−ＲＳの配置構成がセルＩＤの設計に左右されることがない。一方、セルＩＤ用リソースにＣＳＩ−ＲＳを配置する配置構成を選択することで、移動端末装置１０に在圏セルのセルＩＤからＣＳＩ−ＲＳの位置情報を取得させて、ＣＳＩ−ＲＳの位置情報のシグナリングを無くすことができる。よって、システムにおける設計自由度を優先させたい場合には、報知用リソースにＣＳＩ−ＲＳを配置し、システムにおけるシグナリングのオーバヘッドを低減させたい場合には、セルＩＤ用リソースにＣＳＩ−ＲＳを配置して、システム形態に応じて柔軟にＣＳＩ−ＲＳの配置構成を選択することができる。
【００８４】
なお、上記した実施の形態においては、ＣＳＩ−ＲＳは、報知用リソースの他にセルＩＤ用リソースに配置される構成としたが、この構成に限定されるものではない。ＣＳＩ−ＲＳは、セルＩＤ用リソースに代えてセクタに関連付けられたセクタＩＤ用リソースに配置される構成としてもよい。
【００８５】
また、上記した実施の形態においては、複数の隣接セルが、１グループとしてグループ化される構成としたが、この構成に限定されるものではない。複数の隣接セクタが、１グループとしてグループ化される構成としてもよい。
【００８６】
また、上記した実施の形態においては、報知用リソースおよびセルＩＤ用リソースのいずれにＣＳＩ−ＲＳが配置されたかを識別する識別情報が移動端末装置に通知される構成に、ミューティングの通知方法を適用した例について説明したが、この構成に限定されるものではない。ミューティングの通知方法は、識別情報を移動端末装置に通知する構成に限らず、ＣＳＩ−ＲＳを利用する際に適用可能である。
【００８７】
また、上記した本実施の形態においては、報知用リソースにＣＳＩ−ＲＳが配置される場合に、基地局装置が報知信号により複数の移動端末装置に対して一斉にＣＳＩ−ＲＳの位置情報を通知する構成としたが、この構成に限定されるものではない。基地局装置は、報知信号によりＣＳＩ−ＲＳを移動端末装置に通知する構成に代えて、移動端末装置に対して個別にＣＳＩ−ＲＳを通知する構成としてもよい。したがって、報知用リソースは、報知用信号により一斉に移動端末装置にＣＳＩ−ＲＳの位置情報を通知する構成に限定されず、各移動端末装置に個別にＣＳＩ−ＲＳの位置情報を通知する際にも使用される。
【００８８】
また、上記した実施の形態においては、移動端末装置において、取得部が報知信号からブランクリソースの位置情報を取得する構成としたが、この構成に限定されるものではない。ブランクリソースの位置情報は、取得部以外の機能ブロック、例えば、測定部により取得される構成としてもよい。
【００８９】
本発明は上記実施の形態に限定されず、様々変更して実施することが可能である。例えば、本発明の範囲を逸脱しない限りにおいて、上記説明におけるＣＳＩ−ＲＳの割り当て位置、処理部の数、処理手順、ＣＳＩ−ＲＳの数については適宜変更して実施することが可能である。その他、本発明の範囲を逸脱しないで適宜変更して実施することが可能である。
【符号の説明】
【００９０】
１  無線通信システム
１０  移動端末装置
２０  基地局装置
１０１  送受信アンテナ
１０２  アンプ部
１０３  送受信部（受信部）
１０４  ベースバンド信号処理部
１０５  アプリケーション部
１１１  取得部
１１２  測定部
２０１  送受信アンテナ
２０２  アンプ部
２０３  送受信部（送信部）
２０４  ベースバンド信号処理部
２０５  呼処理部
２０６  伝送路インターフェース
２１１  ＣＳＩ−ＲＳ配置部（配置部）
２１２  識別情報生成部
２１３  ブランクリソース設定部
２１４  グループインデックス生成部（グループ識別子生成部）
２１５  ＣＳＩ−ＲＳパラメータ生成部
２１６  報知信号生成部
【図１】
0005373706.tif 000002
【図２】
0005373706.tif 000003
【図３】
0005373706.tif 000004
【図４】
0005373706.tif 000005
【図５】
0005373706.tif 000006
【図６】
0005373706.tif 000007
【図７】
0005373706.tif 000008
【図８】
0005373706.tif 000009
【図９】
0005373706.tif 000010
【図１０】
0005373706.tif 000011
【図１１】
0005373706.tif 000012
【図１２】
0005373706.tif 000013